(57)【要約】【課題】本発明は、担持体の研磨モード時にトナーの消費をより抑えて研磨モードを行うことができる画像形成装置の提供を目的とする。【解決手段】画像形成装置は、担持体と、前記担持体を帯電する帯電装置と、帯電された前記担持体に潜像を形成する露光装置と、直流電圧に交流電圧が重畳された電圧が印加される現像ローラーを有し、前記現像ローラーに付着される母粒子と研磨剤とを含むトナーを用いて、前記潜像をトナー像として現像する現像装置と、前記トナー像を媒体に転写する転写装置と、前記トナー像を媒体に定着させる定着装置と、前記担持体を研磨する研磨部材とを備え、非画像形成時に、画像形成時に前記現像ローラーに印加する交流電圧よりも大きい振幅の交流電圧を前記現像ローラーに印加して前記現像ローラーから前記担持体に前記研磨剤を移動させ前記研磨部材により前記担持体を研磨する研磨モードを行う。【選択図】図７
2018091893.tif 000002
【特許請求の範囲】
【請求項１】
周回する担持体と、
前記担持体を帯電する帯電装置と、
前記帯電装置により帯電された前記担持体に露光して潜像を形成する露光装置と、
前記担持体に対向し、軸周りに回転し、直流電圧に交流電圧が重畳された電圧が印加される現像ローラーを有し、前記現像ローラーに付着される母粒子と研磨剤とを含むトナーを用いて、前記潜像をトナー像として現像する現像装置と、
前記トナー像を媒体に転写する転写装置と、
前記トナー像を媒体に定着させる定着装置と、
前記担持体を研磨する研磨部材と、
を備え、
非画像形成時に、画像形成時に前記現像ローラーに印加する交流電圧よりも大きい振幅の交流電圧を前記現像ローラーに印加して前記現像ローラーから前記担持体に前記研磨剤を移動させ前記研磨部材により前記担持体を研磨する研磨モードを行う、
画像形成装置。
【請求項２】
前記研磨モード時に、前記帯電装置により前記担持体を帯電させる、
請求項１に記載の画像形成装置。
【請求項３】
前記研磨モード時に、前記帯電装置により帯電される前記担持体の帯電電位を、画像形成時に前記帯電装置により帯電される前記担持体の帯電電位よりも高くする、
請求項２に記載の画像形成装置。
【請求項４】
前記研磨モード時における一部の期間に、前記露光装置を用いて前記担持体に潜像を形成し、又は、前記帯電装置に前記担持体を帯電させずに、前記現像ローラーから前記担持体に前記トナーを移動させる、
請求項１〜３の何れか１項に記載の画像形成装置。
【発明の詳細な説明】
【技術分野】
【０００１】
本発明は、画像形成装置に関する。
【背景技術】
【０００２】
記録媒体への非転写時に、現像装置内の現像ローラー上にトナー母粒子は極力残したまま、外添剤である酸化チタンを感光体ドラム側に優先的に移動させて摺擦ローラーに供給し、感光体ドラムの表面を研磨するリフレッシュモードを実行可能とする画像形成装置が知られている（特許文献１参照）。この画像形成装置では、トナー母粒子と帯電性が同極性であり且つトナー母粒子と比較して帯電性（単位重量当たりの帯電量）が小さくなるような酸化チタンを用い、通常の現像バイアス（トナー及び酸化チタンと同極性）よりも小さいバイアスを印加している。
【先行技術文献】
【特許文献】
【０００３】
【特許文献１】特開２０１１−１６９９９５号公報
【発明の概要】
【発明が解決しようとする課題】
【０００４】
ところで、上記の画像形成装置では、リフレッシュモード時（研磨モード時）に、酸化チタンとともにトナー母粒子が感光体ドラム側に移動する場合がある。
【０００５】
本発明は、担持体の研磨モード時にトナーの消費をより抑えて研磨モードを行うことができる画像形成装置の提供を目的とする。
【課題を解決するための手段】
【０００６】
本発明の第１の画像形成装置は、周回する担持体と、前記担持体を帯電する帯電装置と、前記帯電装置により帯電された前記担持体に露光して潜像を形成する露光装置と、前記担持体に対向し、軸周りに回転し、直流電圧に交流電圧が重畳された電圧が印加される現像ローラーを有し、前記現像ローラーに付着される母粒子と研磨剤とを含むトナーを用いて、前記潜像をトナー像として現像する現像装置と、前記トナー像を媒体に転写する転写装置と、前記トナー像を媒体に定着させる定着装置と、前記担持体を研磨する研磨部材と、を備え、非画像形成時に、画像形成時に前記現像ローラーに印加する交流電圧よりも大きい振幅の交流電圧を前記現像ローラーに印加して前記現像ローラーから前記担持体に前記研磨剤を移動させ前記研磨部材により前記担持体を研磨する研磨モードを行う。
【０００７】
本発明の第２の画像形成装置は、さらに、前記研磨モード時に、前記帯電装置により前記担持体を帯電させる。
【０００８】
本発明の第３の画像形成装置は、さらに、前記研磨モード時に、前記帯電装置により帯電される前記担持体の帯電電位を、画像形成時に前記帯電装置により帯電される前記担持体の帯電電位よりも高くする。
【０００９】
本発明の第４の画像形成装置は、さらに、前記研磨モード時における一部の期間に、前記露光装置を用いて前記担持体に潜像を形成し、又は、前記帯電装置に前記担持体を帯電させずに、前記現像ローラーから前記担持体に前記トナーを移動させる。
【発明の効果】
【００１０】
本発明の画像形成装置は、担持体の研磨モード時にトナーの消費をより抑えて研磨モードを行うことができる。
【図面の簡単な説明】
【００１１】
【図１】本実施形態の画像形成装置を正面側から見た概略図である。
【図２】本実施形態の画像形成装置を構成する感光体及びその周辺部分を正面側から見た概略図である。
【図３】本実施形態の画像形成装置を構成する制御装置と、画像形成装置を構成する各構成要素との関係を示すブロック図である。
【図４】本実施形態の画像形成装置が用いるトナーの概略図である。
【図５】本実施形態の画像形成装置による画像形成動作において（画像形成時において）、感光体の表面電位と現像ローラーに印加される電位との関係を説明するための模式図である。
【図６】本実施形態の画像形成装置により非画像形成時に行う研磨動作時において、感光体の表面電位と現像ローラーに印加される電位との関係を説明するための模式図である。
【図７】本実施形態の画像形成装置において、画像形成時の感光体の表面電位及び現像バイアスの交流電圧の振幅の２倍の値（Ｖｐｐ）と、研磨モード時の感光体の表面電位及び現像バイアスの交流電圧の振幅の２倍の値（Ｖｐｐ）とをまとめた表である。
【図８】第１変形例の画像形成装置により非画像形成時に行う研磨動作時において、感光体の表面電位と現像ローラーに印加される電位との関係を説明するための模式図である。
【図９】第２変形例の画像形成装置により非画像形成時に行う研磨動作時において、感光体の表面電位と現像ローラーに印加される電位との関係を説明するための模式図である。
【発明を実施するための形態】
【００１２】
＜概要＞
以下、本実施形態の画像形成装置１０（図１参照）の構成、画像形成動作、研磨動作及び効果について、図面を参照しつつこれらの記載順で説明する。
【００１３】
以下の説明では、図中における矢印Ｆｒ及び矢印Ｒｒで示す方向をそれぞれ装置奥行き方向手前側及び奥側、矢印Ｒ及び矢印Ｌで示す方向をそれぞれ装置幅方向右側及び左側、矢印Ｕ及び矢印Ｌｏで示す方向をそれぞれ装置高さ方向上側及び下側とする。また、本明細書では、画像形成装置１０を装置奥行き方向手前側から見た状態を画像形成装置１０の正面として説明する。
【００１４】
＜画像形成装置の構成＞
画像形成装置１０は、図１に示されるように、給紙カセット２０と、トナー像形成部３０と、転写装置４０と、搬送装置５０と、定着装置６０と、制御装置ＣＵと、電源ＰＳと、を含んで構成される電子写真方式の装置とされている。
【００１５】
給紙カセット２０は、媒体Ｓを収容する機能を有する。
【００１６】
トナー像形成部３０は、帯電、露光、現像の各工程を行って、後述するベルトＴＢに保持させるトナー像を形成する機能を有する。トナー像形成部３０は、それぞれ異なる色（Ｙ（イエロー）、Ｍ（マゼンタ）、Ｃ（シアン）、Ｋ（ブラック））のトナー像を形成する単色ユニット３１Ｙ、３１Ｍ、３１Ｃ、３１Ｋで構成されている。各単色ユニット３１Ｙ、３１Ｍ、３１Ｃ、３１Ｋは、図１に示されるように、それぞれ、感光体ＰＣ（担持体の一例）と、帯電ローラー３２（帯電装置の一例）と、露光装置３４と、現像装置３６と、除電装置３７と、クリーニング装置３８と、研磨ローラー３９（研磨部材の一例）と、を備えている。
【００１７】
感光体ＰＣは、ドラム状とされ、露光装置３４により形成される潜像を担持しながら、駆動源（図示省略）により駆動されて正面側から見て時計回りに周回するようになっている。本実施形態の感光体ＰＣは、一例としてアモルファスシリコン感光体とされている。すなわち、本実施形態の感光体ＰＣは、いわゆる正帯電型の感光体とされている。
【００１８】
帯電ローラー３２は、電源ＰＳから電圧を印加されながら、感光体ＰＣを帯電させる機能を有する。なお、電源ＰＳから帯電ローラー３２に印加される電圧は、一例として、直流電圧に交流電圧を重畳した電圧とされている。
【００１９】
現像装置３６は、トナーＴ（図４参照）を用いて露光装置３４により感光体ＰＣに形成された潜像をトナー像として現像する機能を有する。現像装置３６は、感光体ＰＣに対向し、軸周りに回転する現像ローラー３６Ａを有し（図１及び図２参照）、その外周に付着したトナーＴを用いてトナー像を現像するようになっている。また、現像装置３６は、現像ローラー３６Ａに電源ＰＳから直流電圧に交流電圧が重畳された電圧が印加されることで、現像ローラー３６Ａの外周のトナーＴを感光体ＰＣに飛翔させて移動させるようになっている。
【００２０】
ここで、本実施形態の現像装置３６が用いるトナーＴは、図４に示されるように、樹脂を主成分とする母粒子Ｔａと、研磨剤Ｔｂとを含んで構成されている。なお、母粒子Ｔａ及び研磨剤Ｔｂは、いずれも、平均帯電量分布が正の帯電量となる粒子とされている。すなわち、トナーＴの平均帯電量分布は、正の帯電量とされている。そして、本実施形態の現像方式は、正帯電型感光体と、正帯電のトナーとを用いた反転現像方式とされている（図５参照）。なお、研磨剤Ｔｂは、一例として、酸化チタンとされており、母粒子Ｔａに比べて電気抵抗が低い。
【００２１】
除電装置３７は、転写位置（感光体ＰＣがベルトＴＢと接触する位置）を通過した感光体ＰＣに光を照射して感光体ＰＣを除電する機能を有する。
【００２２】
クリーニング装置３８は、感光体ＰＣに残留した残留トナー（ベルトＴＢに転写されずに感光体ＰＣに付着したままのトナー）を感光体ＰＣから除去する機能を有する。クリーニング装置３８は、クリーニングブレードＣＢを含んで構成されている。
【００２３】
研磨ローラー３９は、感光体ＰＣを研磨する機能を有する。研磨ローラー３９は、一例として、シャフトの外周を発砲体（スポンジ）で覆ったスポンジローラーとされている。なお、研磨ローラー３９は、感光体ＰＣに接触した状態で、感光体ＰＣよりも速い周速で軸周りに回転するようになっている。
【００２４】
トナー像形成部３０を構成する感光体ＰＣ以外の各部は、正面側から見て、感光体ＰＣの周りに、帯電ローラー３２、現像装置３６、除電装置３７、研磨ローラー３９、クリーニングブレードＣＢの記載順で時計回りに配置されている（図２参照）。露光装置３４は、感光体ＰＣにおける帯電ローラー３２と現像装置３６との間で潜像を形成するようになっている。なお、図１では、単色ユニット３１Ｙ以外の単色ユニット３１Ｍ、３１Ｃ、３１Ｋの符号が省略されている。
【００２５】
転写装置４０は、無端状のベルトＴＢを有し、図１における矢印Ｘ方向に周回するベルトＴＢに、トナー像形成部３０により形成されたトナー像を１次転写させて、ベルトＴＢに保持されたトナー像を媒体Ｓに２次転写させる機能を有する。
【００２６】
搬送装置５０は、給紙カセット２０に収容されている媒体Ｓを搬送経路（図１中の二点差線Ｐ）に沿って搬送する機能を有する。なお、図１における矢印Ｙは、媒体Ｓの搬送方向を意味する。
【００２７】
定着装置６０は、転写装置４０により媒体Ｓに２次転写されたトナー像を媒体Ｓに定着させる機能を有する。
【００２８】
制御装置ＣＵは、画像形成装置１０を構成する各部を制御する機能を有する（後述する図３参照）。制御装置ＣＵの機能については、後述する画像形成動作及び研磨動作（研磨モード時の動作）の説明の中で説明する。
【００２９】
＜画像形成動作＞
次に、本実施形態の画像形成装置１０による画像形成動作について図１、図２、図３、図５等を参照しながら説明する。
【００３０】
外部装置（図示省略）から画像データを受け取った制御装置ＣＵは、画像形成装置１０の各部を作動させる（図３参照）。
【００３１】
トナー像形成部３０が作動されると、各単色ユニット３１Ｙ、３１Ｍ、３１Ｃ、３１Ｋでは、帯電ローラー３２が感光体ＰＣを帯電し、露光装置３４が感光体ＰＣを露光し、現像装置３６が感光体ＰＣの潜像をトナー像として現像する。その結果、各感光体ＰＣにトナー像が形成される。この場合、制御装置ＣＵは、帯電ローラー３２に感光体ＰＣの表面電位（図５中のＶｏｐｃ）を一例として＋２００Ｖに帯電させるように電源ＰＳから帯電ローラー３２に電圧を印加する。また、制御装置ＣＵは、図５に示されるように、現像ローラー３６Ａに、Ｖｐｐ（振幅の２倍の値、すなわち、振幅はＶｐｐ／２）が１０００Ｖの交流電圧であって時間平均が＋１００Ｖ（図５中のＶａｖｅ）の電圧を印加する。そして、露光装置３４により露光されて潜像が形成された感光体ＰＣの表面電位は、＋１００Ｖ未満（一例として＋５０Ｖ程度）となり、この電位コントラストが形成された感光体ＰＣの表面に、現像ローラー３６ＡからトナーＴが移動する（図５のハッチング部分）。
【００３２】
次いで、転写装置４０及び搬送装置５０が作動されると、トナー像形成部３０により形成されたトナー像がベルトＴＢに１次転写される。また、ベルトＴＢに１次転写されたトナー像が２次転写されるタイミングに合わせて、搬送装置５０により給紙カセット２０に収容されている媒体Ｓが搬送されて、ベルトＴＢに保持されたトナー像が媒体Ｓに２次転写される。トナー像が２次転写された媒体Ｓは、搬送装置５０により定着装置６０に向けて搬送される。
【００３３】
次いで、定着装置６０が作動され、トナー像が２次転写された媒体Ｓが定着装置６０に搬送されると、媒体Ｓに２次転写されたトナー像が媒体Ｓに定着される（媒体Ｓに画像が形成される）。
【００３４】
そして、トナー像が定着された媒体Ｓ（画像が形成された媒体Ｓ）は、搬送装置５０により画像形成装置１０の外に排出されて、画像形成動作が終了する。
【００３５】
＜研磨動作（研磨モード時の動作）＞
次に、本実施形態の研磨動作について図６及び図７を参照しながら説明する。本実施形態の研磨動作は、非画像形成時に行われる。制御装置ＣＵは、定められた数量（例えば、Ａ４サイズの媒体Ｓが１００枚分相当）の媒体Ｓに対する画像形成動作が終了した後に温湿度センサー（図示省略）により装置内が定められた温湿外である場合、装置本体の電源立ち上げ時に温湿度センサー（図示省略）により装置内が定められた温湿外でである場合、装置本体に備えられたパネル（図示省略）からユーザーによる研磨モードの実行指令がなされた場合等に、研磨動作を行う。なお、研磨動作は、感光体ＰＣ上で発生する放電生成物が高湿環境下で水分を吸うことに起因して感光体ＰＣの表面抵抗を低下させることに伴ういわゆる像流れと呼ばれる現象の発生を抑制するためのものである。特に、像流れは、本実施形態のアモルファスシリコン感光体のような無機系の感光体の場合に顕著に現れる。
【００３６】
まず、本実施形態の制御装置ＣＵは、定められた数量の媒体Ｓに対する画像形成動作が終了すると、露光装置３４、搬送装置５０及び定着装置６０を除く各部を作動させる。
【００３７】
トナー像形成部３０が作動されると、各単色ユニット３１Ｙ、３１Ｍ、３１Ｃ、３１Ｋでは、図６に示されるように、帯電ローラー３２により表面電位Ｖｏｐｃが＋３００Ｖとなるように感光体ＰＣを帯電する。すなわち、制御装置ＣＵは、研磨モード時の感光体ＰＣの表面電位Ｖｏｐｃを、画像形成時の表面電位Ｖｏｐｃ（一例として＋２００Ｖ、図５参照）よりも高くする（図７参照）。また、制御装置ＣＵは、図６に示されるように、電源ＰＳから現像ローラー３６Ａに、Ｖｐｐ（振幅の２倍の値）が一例として１４００Ｖの交流電圧であって時間平均が＋１００Ｖの電圧を印加する。すなわち、制御装置ＣＵは、研磨モード時の現像ローラー３６Ａの交流電圧Ｖｐｐを、画像形成時の交流電圧Ｖｐｐ（一例として１０００Ｖ、図５参照）よりも大きくする（図７参照）。
【００３８】
その結果、研磨モード時における感光体ＰＣには、画像形成時における感光体の潜像（電位コントラスト）が形成されず、現像ローラー３６ＡのトナーＴが感光体ＰＣに移動し難くなる（Ｖｐｐにより現像ローラー３６Ａと感光体ＰＣとの間で往復移動するが、結果的にはほとんどのトナーＴは現像ローラー３６Ａに戻る）。しかしながら、前述のとおり、トナーＴは、母粒子Ｔａと研磨剤Ｔｂとで構成されており、研磨剤Ｔｂは母粒子Ｔａに比べて抵抗が低いことから、トナーＴのうち研磨剤Ｔｂが優先的に感光体ＰＣに移動して残り易い。
【００３９】
次いで、感光体ＰＣに移動して感光体ＰＣに残った研磨剤Ｔｂは、感光体ＰＣとともに周回し、研磨ローラー３９と感光体ＰＣとの接触部分に到達し、研磨ローラー３９の外周には研磨剤Ｔｂが付着する。その結果、研磨ローラー３９は、その外周に研磨剤Ｔｂを付着させた状態で、感光体ＰＣと周速差を持った状態で回転し、感光体ＰＣを研磨する。そして、定められた期間、上記の動作を行うと、本実施形態の研磨動作が終了する。
【００４０】
なお、研磨動作時には、制御装置ＣＵは、転写装置４０のベルトＴＢを周回させるが、１次転写を行わせないように、転写装置４０を制御する。
【００４１】
＜効果＞
次に、本実施形態の効果について図面を参照しながら説明する。
【００４２】
例えば、研磨動作時に、感光体ＰＣに大面積の電位コントラストを形成したうえで、感光体ＰＣに大量のトナーＴを移動させて行う場合（以下、比較例１という。）、大量のトナーＴが消費されてしまう。また、前述の特許文献１の画像形成装置のように、研磨モード時に、現像ローラーに印加する交流電圧の振幅を画像形成動作時の交流電圧の振幅よりも小さくする場合（以下、比較例２という。）、やはり、酸化チタンとともに母粒子が感光体側に移動し得る。
【００４３】
これに対して、本実施形態の場合、研磨モード時に感光体ＰＣにトナーＴが移動する電位コントラストを形成せず、かつ、研磨モード時の現像ローラー３６Ａの交流電圧Ｖｐｐは、画像形成時の交流電圧Ｖｐｐ（一例として１０００Ｖ、図５参照）よりも大きい（図５〜図７等参照）。そして、本発明者らの試験研究によれば、本実施形態の場合、上記比較例２に比べて、感光体ＰＣに移動する研磨剤Ｔｂの量が多く、感光体ＰＣに移動する母粒子Ｔａの量が少ないことを見出した。これは、研磨剤Ｔｂの電気抵抗が母粒子Ｔａの電気抵抗よりも低いことに起因すると考えられる。以上より、、本実施形態の場合、トナーＴのうち研磨剤Ｔｂを優先的に感光体ＰＣに移動させることができる。
【００４４】
したがって、本実施形態によれば、感光体ＰＣの研磨モード時にトナーＴの消費をより抑えて研磨モードを行う（感光体ＰＣの表面を研磨する）ことができる。
【００４５】
また、本実施形態の場合、研磨モード時において、感光体ＰＣの表面電位Ｖｏｐｃは、画像形成動作時の感光体ＰＣの表面電位Ｖｏｐｃよりも高く設定される。そのため、現像ローラー３６Ａの交流電圧の振幅をより大きく設定することができる。このため、本実施形態では、トナーＴのうち研磨剤Ｔｂを優先的に感光体ＰＣに移動させることができる。
【００４６】
以上のとおり、本発明について本実施形態を例として説明したが、本発明の技術的範囲は本実施形態に限定されるものではない。例えば、本発明の技術的範囲には、下記のような形態も含まれる。
【００４７】
例えば、本実施形態では、感光体ＰＣの一例をアモルファスシリコン感光体であるとして説明した。しかしながら、像流れはアモルファスシリコン感光体でなくても発生する現象であることから、感光体ＰＣは別の感光体であってもよい。例えば、有機系の感光体（いわゆるＯＰＣ）であってもよい。
【００４８】
また、本実施形態では、画像形成時及び研磨モード時における、感光体ＰＣの表面電位Ｖｏｐｃと、現像ローラー３６Ａの印加電圧とを、図５〜図７のようにするとして説明した。しかしながら、これらの電圧の条件は、正帯電型感光体を用いた反転現像方式の一例である。すなわち、負帯電型感光体を用いた場合は、本実施形態の場合と極性が逆の関係になることはいうまでもない。
【００４９】
また、本実施形態の第１変形例（図８参照）として、研磨モード時における一部の期間に、露光装置３４を用いて感光体ＰＣに潜像を形成することで電位コントラストを形成し、現像ローラー３６Ａから感光体ＰＣにトナーＴを移動させるようにしてもよい。具体的には、図８に示されるように、研磨モード時の最後の一定の期間に露光装置３４により感光体ＰＣの表面電位Ｖｏｐｃを現像ローラー３４ＡのＶａｖｅよりも低い表面電位Ｖｏｐｃにして、現像ローラー３４Ａに付着したトナーＴ（研磨剤Ｔｂの比率が小さいトナーＴ）を感光体ＰＣに移動させるようにしてもよい。これにより、研磨モード時に現像ローラー３４Ａに付着した研磨剤Ｔｂの比率が小さいトナーＴをクリーニング装置３８に回収させて、次回以降の画像形成動作時に画像形成不良の発生を抑制することができる。なお、この場合、少なくとも現像ローラー３４Ａが１回転する時間以上行うことが望ましい。
【００５０】
また、本実施形態の第２変形例（図９参照）として、研磨モード時における一部の期間に、帯電ローラー３２による感光体ＰＣの帯電を停止して感光体ＰＣを帯電させずに電位コントラストを形成し、現像ローラー３６Ａから感光体ＰＣにトナーＴを移動させるようにしてもよい。具体的には、図９に示されるように、研磨モード時の最後の一定の期間に帯電ローラー３２による感光体ＰＣの帯電を停止して感光体ＰＣの表面電位Ｖｏｐｃを現像ローラー３４ＡのＶａｖｅよりも低い表面電位Ｖｏｐｃにして、現像ローラー３４Ａに付着したトナーＴ（研磨剤Ｔｂの比率が小さいトナーＴ）を感光体ＰＣに移動させるようにしてもよい。これにより、研磨モード時に現像ローラー３４Ａに付着した研磨剤Ｔｂの比率が小さいトナーＴをクリーニング装置３８に回収させて、次回以降の画像形成動作時に画像形成不良の発生を抑制することができる。なお、この場合、少なくとも現像ローラー３４Ａが１回転する時間以上行うことが望ましい。
【符号の説明】
【００５１】
１０          画像形成装置
３２          感光体（担持体の一例）
３６          現像装置
３６Ａ        現像ローラー
３９          研磨ローラー（研磨部材の一例）
４０          転写装置
６０          定着装置
ＰＣ          感光体（担持体の一例）
Ｓ            媒体
Ｖｏｐｃ      感光体の表面電位
Ｖｐｐ／２    交流電圧の振幅
【図１】
2018091893.tif 000003
【図２】
2018091893.tif 000004
【図３】
2018091893.tif 000005
【図４】
2018091893.tif 000006
【図５】
2018091893.tif 000007
【図６】
2018091893.tif 000008
【図７】
2018091893.tif 000009
【図８】
2018091893.tif 000010
【図９】
2018091893.tif 000011